(57)【要約】【課題】電力開閉機器の相間絶縁バリヤ，側面絶縁バリヤの部品を共通化し、一種類の絶縁バリヤで全て対応できるように改良した絶縁バリヤの取付構造を提供する。【解決手段】基台上に複数極の開閉器を左右に並べて搭載した電力開閉機器の相間絶縁バリヤ，側面絶縁バリヤとして適用する絶縁バリヤの取付構造で、絶縁バリヤ５は絶縁板５ａに固着した取付金具６を前記基台にボルト締結して直立姿勢に支持したものにおいて、取付金具６の両端部から側方に張り出し形成したねじ座６ａ．６ｂには、締結ボルトに嵌挿するＵ字溝６ａ−１，６ｂ−１をその開口端が互いに向かい合う向きに形成し、開閉機器への取り付けに際しては、相間絶縁バリヤ５Ａ，および左右いずれか一方の側面絶縁バリヤ５Ｂに適用する絶縁バリヤ５は同じ向きに揃えて基台にボルト締結し、他方の側面絶縁バリヤ５Ｃに適用する絶縁バリヤ５は向きを１８０度反転して基台にボルト締結する。【選択図】図１
2012142149.tif 000002
【特許請求の範囲】
【請求項１】
基台上に複数極の開閉器を左右に並べて搭載した電力開閉機器の相間絶縁バリヤ，側面絶縁バリヤとして適用する絶縁バリヤの取付構造であって、絶縁バリヤは絶縁板の側縁に固着した取付金具を前記基台にボルト締結して直立姿勢に支持したものにおいて、
前記取付金具の長手方向の両端部から側方に張り出し形成したねじ座には、締結ボルトに嵌挿するＵ字溝をその開口端が互いに向かい合う向きに形成したことを特徴とする電力開閉機器用の絶縁バリヤ取付構造。
【請求項２】
請求項１に記載の絶縁バリヤ取付構造において、相間絶縁バリヤ，および左右いずれか一方の側面絶縁バリヤに適用する絶縁バリヤは同じ向きに揃えて基台にボルト締結し、他方の側面絶縁バリヤに適用する絶縁バリヤは向きを１８０度反転して基台にボルト締結したことを特徴とする電力用開閉機器の絶縁バリヤ取付構造。
【発明の詳細な説明】
【技術分野】
【０００１】
本発明は、断路器，負荷開閉器などの電力開閉機器に適用する絶縁バリヤの取付構造に関する。
【背景技術】
【０００２】
周知のように受変電設備に設置される高圧開閉機器には、相間，対地間の絶縁確保，および落下異物などによる短絡事故防止のために絶縁バリヤ（オプション品）を装備するようにしている。
【０００３】
次に、３極形の断路器を例に、この断路器に付設した絶縁バリヤ（従来製品）の取付構造を図３〜図５に示す。図３，図４において、１は断路器の基台、２は左右に並べて基台１に前面に搭載した３相配電回路のＲ，Ｓ，Ｔ相に対応する断路器、３は操作軸４を介して各相の断路器２に連係した操作レバーであり、Ｒ，Ｓ，Ｔ各相の断路器２に対してその相互間，および左右両側には図示のように相間絶縁バリヤ５Ａ，左側面絶縁バリヤ５Ｂ，および右側面絶縁バリヤ５Ｃが基台１に配置されている。この絶縁バリヤは、詳細構造を後述するように略方形形状になる絶縁板５ａに固着した取付金具６を介して基台１にボルト７により締結して起立姿勢に立設している。なお、断路器２の詳細構造，開閉動作については周知であり、その説明は省略する。
【０００４】
次に、前記の相間絶縁バリヤ５Ａ，左側面絶縁バリヤ５Ｂ，右側面絶縁バリヤ５Ｃの各絶縁バリヤに設けた取付金具６について、その従来構造を図５（ａ），（ｂ）に示す。この取付金具６は基台１の幅に対応した長さ寸法を有するＬ形アングルの板金品で、絶縁バリヤの絶縁板５ａの側縁にリベット８でカシメ止めされており、その両端部から側方に張り出したねじ座６ａ，６ｂには前記締結ボルト７に嵌挿するＵ字溝６ａ−１，６ｂ−１が形成されている。
【０００５】
ここで、相間絶縁バリヤ５Ａ，左側面絶縁バリヤ５Ｂについては、図５（ａ）で示すように取付金具６のねじ座６ａ，６ｂが絶縁板５ａの右側に張り出しており、このねじ座６ａ，６ｂに形成したＵ字溝６ａ−１，および６ｂ−はその開口端を下に向けて同じ方向に形成されている。一方、右側面絶縁バリヤ５Ｃについては、その取付金具６の形が図５（ａ）の取付金具６とは異なり、図５（ｂ）で示すように絶縁板５ａに固着した状態でねじ座６ａ，６ｂが絶縁板５ａの左側に張り出し、このねじ座６ａ，６ｂに形成したＵ字溝６ａ−１，および６ｂ−１は図５（ａ）と同様に溝の開口端を下に向けて同じ方向に形成されている。このように絶縁バリヤの配置位置によって取付金具６の形状，向きを変えているのは、図３で示すようにＲ，Ｓ，Ｔ各相の断路器２を挟んでその両側に配置した絶縁バリヤ５Ａ，５Ｂ，５Ｃとの間に所要の絶縁間隔を確保するためである。
【０００６】
そして、前記の各絶縁バリヤ５Ａ，５Ｂ，５Ｃを断路器の基台１に組み付けるには、あらかじめ絶縁バリヤの取付位置に合わせて基板１の前面に穿設したボルト穴にボルト７を半締めの状態に螺設しておき、このボルト７に前記取付金具６のＵ字溝６ａ−１，６ｂ−１を基台１の上方から嵌め合わせて絶縁バリヤ５Ａ，５Ｂ，５Ｃを所定の取付位置に保持し、この状態でボルト７を締め付けて締結する。
【０００７】
なお、前記の絶縁バリヤはオプション品として、ユーザーの指定に合わせてメーカーが製品に取り付けて出荷するのが一般的であるが、ユーザーによっては絶縁バリヤ無しの製品を据付けた後に絶縁バリヤを追加購入して後付けする、あるいは使用中に破損した絶縁バリヤを交換するために新たに購入して後付けする場合がある。
【発明の概要】
【発明が解決しようとする課題】
【０００８】
前記のように、Ｒ，Ｓ，Ｔ相の配電路に対応する３極の開閉器（断路器２）を基台１に搭載した電力開閉機器には、相間絶縁バリヤ５Ａ，左側面絶縁バリヤ５Ｂ，および右側面絶縁バリヤ５Ｃからなる合計４枚の絶縁バリヤが必要である。
【０００９】
ところで、従来構造の絶縁バリヤは、相間絶縁バリヤ５Ａ，左側面絶縁バリヤ５Ｂと右側面絶縁バリヤ５Ｃとでは、取付金具６の形状，および絶縁板５ａに対する取り付け方向が異なるために（図５（ａ），（ｂ）参照）、メーカーではオプション部品として２種類の絶縁バリヤを用意しておく必要がある。
【００１０】
このためにメーカーでは絶縁バリヤの部品管理が煩雑になる。また、ユーザーが追加注文して後付けする場合でも、その開閉機器への取付箇所によって絶縁バリヤの種類，取付の向きが異なるために部品の発注，取付位置を間違えるおそれがある。
【００１１】
本発明は上記の点に鑑みなされたものであり、その目的は電力開閉機器の相間絶縁バリヤ，左右の側面絶縁バリヤの部品を共通化し、一種類の絶縁バリヤで全て対応できるように改良した絶縁バリヤの取付構造を提供することにある。
【課題を解決するための手段】
【００１２】
上記目的を達成するために、本発明によれば、基台上に複数極の開閉器を左右に並べて搭載した電力開閉機器の相間絶縁バリヤ，側面絶縁バリヤとして適用する絶縁バリヤの取付構造であって、絶縁バリヤは絶縁板の側縁に固着した取付金具を前記基台にボルト締結して直立姿勢に支持したものにおいて、
前記取付金具の長手方向の両端部から側方に張り出し形成したねじ座には、締結ボルトに嵌挿するＵ字溝をその開口端が互いに向かい合う向きに形成するものとし（請求項１）、開閉機器への取り付けに際しては、相間絶縁バリヤ，および左右いずれか一方の側面絶縁バリヤに適用する絶縁バリヤは同じ向きに揃えて基台にボルト締結し、他方の側面絶縁バリヤに適用する絶縁バリヤは向きを１８０度反転して基台にボルト締結するようにする（請求項２）。
【発明の効果】
【００１３】
上記構成によれば、一種類の絶縁バリヤを共通部品として開閉機器の相間絶縁バリヤ，左右の側面絶縁バリヤに適用することができる。これにより、メーカーでの部品管理が容易となるほか、ユーザーが絶縁バリヤを追加購入して後付けする場合でも、従来のようにその取付位置によって絶縁バリヤの種類を選ぶ必要なしに共通部品を使用して開閉機器の相間絶縁バリヤ，左右の側面絶縁バリヤを簡単に構築できる。
【図面の簡単な説明】
【００１４】
【図１】本発明の実施例による絶縁バリヤの構成図であって、（ａ）は外形斜視図、（ｂ），（ｃ）はそれぞれ相間絶縁バリヤ，左側面絶縁バリヤ、および右側面絶縁バリアヤに対応する取付金具の拡大平面図である。
【図２】図１の絶縁バリヤを装備した３極形断路器の平面図である。
【図３】従来構造の絶縁バリヤを装備した３極形断路器の平面図である。
【図４】図３の側面図である。
【図５】図３における絶縁バリヤの要部構造図であって、（ａ），（ｂ）はそれぞれ相間絶縁バリヤ，左側面絶縁バリヤ、および右側面絶縁バリアヤに対応する取付金具の拡大平面図である。
【発明を実施するための形態】
【００１５】
以下、３極形の断路器に装備した絶縁バリヤを例に、本発明の実施の形態を図１，図２に示す実施例に基づいて説明する。なお、実施例の図中で図３，図５に対応する部材には同じ符号を付してその説明は省略する。
【００１６】
すなわち、Ｒ，Ｓ，Ｔ各相の断路器２を左右に並べて搭載した基台１の前面に配置した相間絶縁バリヤ５Ａ，左右の側面絶縁バリヤ５Ｂ，５Ｃは、図１（ａ）に示した絶縁バリヤ５を共通部品としてその取付金具６，ボルト７を介してそれぞれ基台１の所定位置に立設される（図２参照）。ここで、取付金具６は方形形状になる絶縁板５ａの長手方向に沿った側縁の中央位置に固着し、取付金具６の両端から側方に張り出したねじ座６ａ，６ｂに形成したＵ字溝６−１，６ｂ−１は、図５に示した従来の取付金具と異なり、Ｕ字溝６−１，６ｂ−１の開口端同士が互いに向かい合うような向きに形成されている（図１（ｂ），（ｃ）参照）。
【００１７】
そして、図２に示した断路器の基台１に相間絶縁バリヤ５Ａ，左右の側面絶縁バリヤ５Ｂ，５Ｃ取付けるには、共通部品である絶縁バリヤ５を図１（ａ）のようにねじ座６ａ，６ｂが絶縁板５ａの右側に張り出すような向きにして相間絶縁バリヤ５Ａ，および左側面絶縁バリヤ５Ｂの指定位置にボルト締結し、右側面絶縁バリアヤ５Ｃには図１（ｂ）のように絶縁バリヤ５を１８０度反転し、ねじ座６ａ，６ｂが絶縁板５ａの左側に張り出すような向きにして右側面絶縁バリアヤ５Ｃの指定位置にボルト締結する。
【００１８】
なお、絶縁バリヤ５のボルト締結の作業手順として、あらかじめ基台１に穿孔した上列側のボルト穴にボルト７を半締めの状態に螺合しておき、この状態でボルト７に取付金具６の上端側のねじ座のＵ字溝を嵌挿して吊り下げ保持し、次に下端側のねじ座のＵ字溝を通してボルト７を基台１の下列側のボルト穴に螺合して締結する。
【００１９】
上記の説明で明らかなように、図示実施例では図１（ａ）に示した絶縁バリヤ５を共通部品として、図２に示した相間絶縁バリヤ５Ａ，左右の側面絶縁バリヤ５Ｂ，５Ｃを構築することができる。
【符号の説明】
【００２０】
１    基台
２    断路器
５    絶縁バリヤ
５Ａ  相間絶縁バリヤ
５Ｂ  左側面絶縁バリヤ
５Ｃ  右側面絶縁バリヤ
５ａ    絶縁板
６    取付金具
６ａ，６ｂ  ねじ座
６ａ−１，６ｂ−１  Ｕ字溝
７    ボルト
【図１】
2012142149.tif 000003
【図２】
2012142149.tif 000004
【図３】
2012142149.tif 000005
【図４】
2012142149.tif 000006
【図５】
2012142149.tif 000007